(57)【要約】【課題】被防水躯体が薄板状のＦＲＰなどで形成されていても、貫通孔を形成することなくシート装着部材を適正に固定することができる躯体製造方法を提供する。【解決手段】シート装着部材２００の貫通孔２１０に対応した位置で被防水躯体１００に雄ネジ部品３００の平板部３２０を固定し、固定された雄ネジ部品３００の雄ネジ軸３１０を貫通孔２１０に挿通させて被防水躯体１００にシート装着部材２００を接着剤５００で装着し、貫通孔２１０から突出している雄ネジ軸３１０に雌ネジ部品４００を螺合させて被防水躯体１００に接着剤５００で装着されたシート装着部材２００を押圧保持させ、被防水躯体１００にシート装着部材２００を装着している接着剤５００が硬化してから雌ネジ部品４００を排除するとともに貫通孔２１０から突出している雄ネジ軸３１０を排除する。【選択図】図１
2011122365.tif 000002
【特許請求の範囲】
【請求項１】
防水シートが装着されるシート装着部材を被防水躯体に固定する躯体製造方法であって、
前記シート装着部材に貫通孔を形成しておき、
前記貫通孔より小径の雄ネジ軸が平板部から突設されている雄ネジ部品を形成しておき、
前記貫通孔より大径に形成されていて前記雄ネジ部品の前記雄ネジ軸と雌ネジ孔で螺合する雌ネジ部品を形成しておき、
前記シート装着部材の前記貫通孔に対応した位置で前記被防水躯体に前記雄ネジ部品の前記平板部を固定し、
固定された前記雄ネジ部品の前記雄ネジ軸を前記貫通孔に挿通させて前記被防水躯体に前記シート装着部材を接着剤で装着し、
前記貫通孔から突出している前記雄ネジ軸に前記雌ネジ部品を螺合させて前記被防水躯体に前記接着剤で装着された前記シート装着部材を押圧保持させ、
前記被防水躯体に前記シート装着部材を装着している前記接着剤が硬化してから前記雌ネジ部品を排除するとともに前記貫通孔から突出している前記雄ネジ軸を排除することを特徴とする躯体製造方法。
【請求項２】
前記雄ネジ部品が前記シート装着部材より軟質の材料で形成されている請求項１に記載の躯体製造方法。
【請求項３】
前記雌ネジ部品も前記シート装着部材より軟質の材料で形成されており、
前記貫通孔から漏出した前記接着剤で固着した前記雌ネジ部品を前記雄ネジ軸とともに切除することで排除する請求項２に記載の躯体製造方法。
【請求項４】
前記シート装着部材の前記貫通孔より大径に前記雄ネジ部品の前記平板部が形成されており、
前記被防水躯体に前記シート装着部材を前記接着剤で固定することに適正な間隙に対応した板厚に前記雄ネジ部品の平板部が形成されている請求項１ないし３の何れか一項に記載の躯体製造方法。
【請求項５】
前記シート装着部材を前記被防水躯体の装着位置に配置して前記貫通孔から指標を形成し、
前記指標の位置に前記雄ネジ部品の前記平板部を固定する請求項１ないし４の何れか一項に記載の躯体製造方法。
【請求項６】
前記雄ネジ軸に螺合された前記雌ネジ部品で押圧保持されている前記シート装着部材と前記被防水躯体との間隙の前記接着剤が不足している部分に外側から前記接着剤を充填する請求項１ないし５の何れか一項に記載の躯体製造方法。
【請求項７】
防水シートが装着されるシート装着部材が固定されている被防水躯体であって、
請求項１ないし６の何れか一項に記載の躯体製造方法で前記シート装着部材が固定されていることを特徴とする被防水躯体。
【請求項８】
防水シートが装着されるシート装着部材が固定されている被防水躯体であって、
前記シート装着部材に貫通孔が形成されており、
前記貫通孔より小径の雄ネジ軸が突設されている雄ネジ部品の平板部が前記被防水躯体に固定されており、
前記雄ネジ部品の前記雄ネジ軸が前記貫通孔に挿通された状態で前記被防水躯体に前記シート装着部材が接着剤で固定されており、
前記貫通孔から前記雄ネジ軸が突出していないことを特徴とする被防水躯体。
【発明の詳細な説明】
【技術分野】
【０００１】
本発明は、防水シートが装着されるシート装着部材を被防水躯体に固定する躯体製造方法、この躯体製造方法でシート装着部材が固定されている被防水躯体、に関する。
【背景技術】
【０００２】
現在、水泳プール、水槽、ベランダ、バルコニー、屋根、屋上、等の防水方法として、コンクリートなどの被防水躯体の内面に防水シートを貼着することがある。このような防水方法には、防水シートのほぼ全面を躯体に接着するようにした工法、いわゆる接着工法または密着工法と、防水シートの一部を機械的に躯体に固定して残り多くの部分を遊離させるようにした工法、いわゆる絶縁工法があり、絶縁工法では通例、被防水躯体にシート装着部材を固定し、このシート装着部材に防水シートを装着する手法が取られている。
【０００３】
このような被防水躯体の一従来例を図６を参照して以下に説明する。ここで例示する被防水躯体１００では、略直交している底面１１０と内側面１２０との境界部分に、シート装着部材である入隅鋼板２００が固定されており、この入隅鋼板２００に防水シート６００が装着されている。
【０００４】
防水シート６００が塩化ビニール系の樹脂からなる場合、これが装着される入隅鋼板２００は、塩化ビニール系の樹脂などで外面が被覆されている。そこで、このような入隅鋼板２００の表面に防水シート６００が、有機溶剤により溶着される。
【０００５】
また、防水シート６００がポリオレフィン系の樹脂からなる場合、これが装着される入隅鋼板２００は、ポリオレフィン系の樹脂などで外面が被覆されている。そこで、このような入隅鋼板２００の表面に防水シート６００が、加熱等の方法により融着される。
【０００６】
このような入隅鋼板２００を被防水躯体１００に固定する方法としては、例えば、入隅鋼板２００に貫通孔２０１を形成するとともに被防水躯体１００に下穴１０１を形成しておき、この貫通孔２０１に挿通させたボルト７００を被防水躯体１００の下穴１０１に埋設させる手法がある（例えば、特許文献１参照）。
【先行技術文献】
【特許文献】
【０００７】
【特許文献１】特開２０００−０９６７８３号公報
【発明の概要】
【発明が解決しようとする課題】
【０００８】
しかし、上述のような躯体製造方法は、被防水躯体１００が充分に肉厚なコンクリートなどで形成されている場合には有効であるが、薄板状のＦＲＰ(Fiber Reinforced Plastic)などで形成されている場合、ボルトが被防水躯体１００を貫通してしまう。
【０００９】
このような状態で、防水シート６００に何らかの原因により貫通する亀裂や孔などの不具合部が生じた場合には、収容されていた液体が、その不具合部を通じて、被防水躯体１００の外部まで漏出することになる。
【００１０】
また、被防水躯体１００が充分に肉厚なコンクリートなどで形成されていても、例えば、下穴１０１の底部に亀裂などが発生していた場合、やはり防水シート６００に何らかの原因により貫通する亀裂や孔などの不具合部が生じた場合には、収容されていた液体が被防水躯体１００の外部まで漏出することになる。
【００１１】
本発明は上述のような課題に鑑みてなされたものであり、被防水躯体が薄板状のＦＲＰなどで形成されていても、貫通孔を形成することなくシート装着部材を適正に固定することができる躯体製造方法、この躯体製造方法でシート装着部材が固定された被防水躯体、を提供するものである。
【課題を解決するための手段】
【００１２】
本発明の躯体製造方法は、防水シートが装着されるシート装着部材を被防水躯体に固定する躯体製造方法であって、シート装着部材に貫通孔を形成しておき、貫通孔より小径の雄ネジ軸が平板部から突設されている雄ネジ部品を形成しておき、貫通孔より大径に形成されていて雄ネジ部品の雄ネジ軸と雌ネジ孔で螺合する雌ネジ部品を形成しておき、シート装着部材の貫通孔に対応した位置で被防水躯体に雄ネジ部品の平板部を固定し、固定された雄ネジ部品の雄ネジ軸を貫通孔に挿通させて被防水躯体にシート装着部材を接着剤で装着し、貫通孔から突出している雄ネジ軸に雌ネジ部品を螺合させて被防水躯体に接着剤で装着されたシート装着部材を押圧保持させ、被防水躯体にシート装着部材を装着している接着剤が硬化してから雌ネジ部品を排除するとともに貫通孔から突出している雄ネジ軸を排除する。
【００１３】
従って、本発明の躯体製造方法では、雄ネジ部品の雄ネジ軸が貫通孔に挿通することにより、被防水躯体にシート装着部材が適正に配置されて接着される。また、被防水躯体の境界部分に間隙を介して接着剤で装着されたシート装着部材が、雄ネジ軸に螺合する雌ネジ部品で押圧保持される。そして、被防水躯体に接着剤で固定されたシート装着部材の貫通孔から、余分な雄ネジ軸などが突出することもない。
【００１４】
また、上述のような躯体製造方法において、雄ネジ部品がシート装着部材より軟質の材料で形成されていてもよい。
【００１５】
また、上述のような躯体製造方法において、雌ネジ部品もシート装着部材より軟質の材料で形成されており、貫通孔から漏出した接着剤で固着した雌ネジ部品を雄ネジ軸とともに切除することで排除してもよい。
【００１６】
また、上述のような躯体製造方法において、シート装着部材の貫通孔より大径に雄ネジ部品の平板部が形成されており、被防水躯体にシート装着部材を接着剤で固定することに適正な間隙に対応した板厚に雄ネジ部品の平板部が形成されていてもよい。
【００１７】
また、上述のような躯体製造方法において、シート装着部材を被防水躯体の装着位置に配置して貫通孔から指標を形成し、指標の位置に雄ネジ部品の平板部を固定してもよい。
【００１８】
また、上述のような躯体製造方法において、雄ネジ軸に螺合された雌ネジ部品で押圧保持されているシート装着部材と被防水躯体との間隙の接着剤が不足している部分に外側から接着剤を充填してもよい。
【００１９】
また、上述のような躯体製造方法において、シート装着部材は、薄板状のＦＲＰなどを躯体とした水泳プール、水槽、蓄熱槽などの底面と壁面の境界部にＬ字状に配置される入隅部材として好適に採用されるが、その他にも、陸屋根、ベランダ、バルコニー、屋根、屋上などの床面と壁面との境界部にＬ字状に配置される入隅部材、壁面の角部に配置される出隅部材、また平坦な床面に散在して配置される平板状、帯状、円盤状などの防水シートとの接合用部材としても適用が可能である。
【００２０】
本発明の第一の被防水躯体は、防水シートが装着されるシート装着部材が固定されている被防水躯体であって、本発明の躯体製造方法でシート装着部材が固定されている。
【００２１】
本発明の第二の被防水躯体は、防水シートが装着されるシート装着部材が固定されている被防水躯体であって、シート装着部材に貫通孔が形成されており、貫通孔より小径の雄ネジ軸が突設されている雄ネジ部品の平板部が被防水躯体に固定されており、雄ネジ部品の雄ネジ軸が貫通孔に挿通された状態で被防水躯体にシート装着部材が接着剤で固定されており、貫通孔から雄ネジ軸が突出していない。
【発明の効果】
【００２２】
本発明の躯体製造方法では、雄ネジ部品の雄ネジ軸が貫通孔に挿通することにより、被防水躯体にシート装着部材が適正に配置されて接着される。このため、シート装着部材が被防水躯体の適正な位置から変位した状態で接着されることを良好に防止できる。また、被防水躯体の境界部分に間隙を介して接着剤で装着されたシート装着部材が、雄ネジ軸に螺合する雌ネジ部品で押圧保持される。このため、被防水躯体とシート装着部材との間隙の接着剤が硬化するまで、被防水躯体の適正な位置にシート装着部材を押圧保持することができる。そして、被防水躯体に接着剤で固定されたシート装着部材の貫通孔から、余分な雄ネジ軸などが突出することもない。このため、被防水躯体に固定されたシート装着部材に防水シートなどを問題なく貼着するようなことができる。
【図面の簡単な説明】
【００２３】
【図１】本発明の実施の形態の躯体製造方法の一工程を示す模式的な斜視図である。
【図２】躯体製造方法の一工程を示す模式的な斜視図である。
【図３】躯体製造方法の一工程を示す模式的な斜視図である。
【図４】躯体製造方法の一工程を示す模式的な斜視図である。
【図５】シート装着部材である入隅鋼板などが装着された被防水躯体の要部を示す縦断正面図である。
【図６】一従来例の入隅鋼板などが装着された被防水躯体の要部を示す縦断正面図である。
【発明を実施するための形態】
【００２４】
本発明の実施の一形態を図１ないし図５を参照して以下に説明する。ただし、本実施の形態に関して前述した一従来例と同一の部分は、同一の名称を使用して詳細な説明は省略する。
【００２５】
本実施の形態の躯体製造方法は、図１ないし図４に示すように、防水シート６００が装着されるシート装着部材である入隅鋼板２００を被防水躯体１００に固定する。このため、本実施の形態の躯体製造方法では、入隅鋼板２００に貫通孔２１０を形成しておき、貫通孔２１０より小径の雄ネジ軸３１０が平板部３２０から突設されている雄ネジ部品３００を形成しておき、貫通孔２１０より大径に形成されていて雄ネジ部品３００の雄ネジ軸３１０と雌ネジ孔４１０で螺合する雌ネジ部品４００を形成しておき、入隅鋼板２００の貫通孔２１０に対応した位置で被防水躯体１００に雄ネジ部品３００の平板部３２０を接着剤５００などで固定し、固定された雄ネジ部品３００の雄ネジ軸３１０を貫通孔２１０に挿通させて被防水躯体１００に入隅鋼板２００を接着剤５００で装着し、貫通孔２１０から突出している雄ネジ軸３１０に雌ネジ部品４００を螺合させて被防水躯体１００に接着剤５００で装着された入隅鋼板２００を押圧保持させ、被防水躯体１００に入隅鋼板２００を装着している接着剤５００が硬化してから雌ネジ部品４００を排除するとともに貫通孔２１０から突出している雄ネジ軸３１０を切除する。
【００２６】
このような躯体製造方法により製造されている本実施の形態の被防水躯体１００は、図５に示すように、略直交している底面１１０と内側面１２０との境界部分に、略直角に曲折されている入隅鋼板２００が固定されている。
【００２７】
入隅鋼板２００は、上述のように被防水躯体１００の装着位置に対応して形成されている。ただし、躯体形状に合わせて鋼板を加工（切断、折り曲げなど）する際に、互いが線膨張などで接触しないようにする必要がある。
【００２８】
そこで、入隅鋼板２００は、予め配置する躯体形状に沿うように、温度変化による相互接触などがない程度の隙間を考慮して、鋼板を切断、折り曲げ加工して製作し、取り付けられる。詳細には後述するが、被防水躯体１００と入隅鋼板２００とには１．０ｍｍなどの所定の間隙が確保され、この間隙が接着剤５００で充填される。
【００２９】
本実施の形態の被防水躯体１００は、入隅鋼板２００に貫通孔２１０が形成されており、貫通孔２１０より小径の雄ネジ軸３１０が平板部３２０から突設されている雄ネジ部品３００が平板部３２０で被防水躯体１００に固定されており、雄ネジ部品３００の雄ネジ軸３１０が貫通孔２１０に挿通された状態で被防水躯体１００に入隅鋼板２００が接着剤５００で固定されており、貫通孔２１０から雄ネジ軸３１０が突出していない。
【００３０】
より詳細には、本実施の形態の被防水躯体１００でも、略直交している底面１１０と内側面１２０との境界部分に、防水シートが装着されるシート装着部材である入隅鋼板２００を固定し、この入隅鋼板２００に防水シート６００を貼着する。
【００３１】
防水シート６００が塩化ビニール系の樹脂からなる場合、これが装着される入隅鋼板２００は、塩化ビニール系の樹脂などで外面が被覆されている。そこで、このような入隅鋼板２００の表面に防水シート６００が、有機溶剤により溶着される。
【００３２】
また、防水シート６００がポリオレフィン系の樹脂からなる場合、これが装着される入隅鋼板２００は、ポリオレフィン系の樹脂などで外面が被覆されている。そこで、このような入隅鋼板２００の表面に防水シート６００が、加熱等の方法により融着される。
【００３３】
雄ネジ部品３００と雌ネジ部品４００とは、例えば、入隅鋼板２００より充分に軟質な樹脂である塩化ビニールで形成されている。接着剤５００は、例えば、アイ・ティー・ダブリュー・インダストリー株式会社製のプレクサス(登録商標)ＭＡ３２０などのメタクリレート系の構造用接着剤からなり、充填剤を兼用している。
【００３４】
このため、接着剤５００は前述した被防水躯体１００と入隅鋼板２００との１．０ｍｍなどの所定の間隙を良好に充填することができる。そこで、このように被防水躯体１００と入隅鋼板２００との間隙に対応した１．０ｍｍの板厚に、雄ネジ部品３００の平板部３２０が形成されている。
【００３５】
なお、入隅鋼板２００の貫通孔２１０は、例えば、７．０ｍｍ〜８．０ｍｍの直径に形成されており、雄ネジ軸３１０は貫通孔２１０より小径の６．０ｍｍの外径に形成されており、平板部３２０は貫通孔２１０より大径の１０ｍｍの円盤状に形成されている。また、雌ネジ部品４００は、例えば、貫通孔２１０より大径の１０ｍｍの直径で、３．０ｍｍ〜４．０ｍｍの板厚に形成されている。
【００３６】
ここで、本実施の形態の躯体製造方法を、より具体的に、以下に順番に説明する。まず、被防水躯体１００がＦＲＰなどで形成されている場合、入隅鋼板２００を接着剤５００で固定する部分の表面をサンドペーパなどで粗面とする(図示せず)。さらに、この被防水躯体１００の粗面とした部分および入隅鋼板２００の接着面を、ＩＰＡ(Isopropyl Alcohol)などのアルコールで脱脂する(図示せず)。
【００３７】
つぎに、前述のように接着剤５００に必要な間隙を考慮して入隅鋼板２００を被防水躯体１００の境界部分に配置し、貫通孔２１０から底面１１０に罫書きなどで指標１１１を形成する。
【００３８】
そして、図１に示すように、この指標１１１の位置に雄ネジ部品３００の平板部３２０を接着剤５００で固定する。つぎに、入隅鋼板２００の上端と前端とに対応した位置で、被防水躯体１００に接着剤５００を１０ｍｍ幅程に塗布する。なお、この接着剤５００を被防水躯体１００ではなく入隅鋼板２００に塗布してもよい(図示せず)。
【００３９】
そして、雄ネジ部品３００の雄ネジ軸３１０を貫通孔２１０に挿通させて被防水躯体１００の境界部分に入隅鋼板２００を接着剤５００で装着する。このとき、雄ネジ部品３００の平板部３２０の板厚のため、被防水躯体１００の底面１１０と入隅鋼板２００の下面とに約１．０ｍｍの間隙が形成され、この間隙が接着剤５００で充填されることになる(図示せず)。
【００４０】
また、前述のように事前に雄ネジ部品３００は位置が考慮されて被防水躯体１００に接着されているので、被防水躯体１００の内側面１２０と入隅鋼板２００の外側面とにも約１．０ｍｍの間隙が形成され、この間隙も接着剤５００で充填されることになる(図示せず)。
【００４１】
このとき、被防水躯体１００と入隅鋼板２００との間隙に充填されている接着剤５００は硬化までに１５分〜３０分などの所定の時間を必要とする。そこで、このような状態で、図２に示すように、貫通孔２１０から突出している雄ネジ軸３１０に雌ネジ部品４００を螺合させて被防水躯体１００に接着剤５００で装着された入隅鋼板２００を押圧保持させる。
【００４２】
これで入隅鋼板２００は被防水躯体１００に適正に保持されるので、図３に示すように、雄ネジ軸３１０に螺合された雌ネジ部品４００で押圧保持されている入隅鋼板２００と被防水躯体１００との間隙の接着剤５００が不足している部分に外側からハンドガンＨＧなどで接着剤５００を充填する。
【００４３】
このとき、入隅鋼板２００の周囲に漏出した余分な接着剤５００はアセトンなどで排除される。なお、図３および図４は、入隅鋼板２００と被防水躯体１００との間隙に接着剤５００が充填されている状態を表現している。
【００４４】
そして、被防水躯体１００に入隅鋼板２００を装着している接着剤５００が硬化したら、図４に示すように、雌ネジ部品４００を排除するとともに貫通孔２１０から突出している雄ネジ軸３１０を切除する。
【００４５】
このとき、例えば、手指で雌ネジ部品４００を雄ネジ軸３１０から取り外し、貫通孔２１０から突出している雄ネジ軸３１０を、いわゆるカッターナイフ(図示せず)などで切除する。
【００４６】
ただし、入隅鋼板２００の貫通孔２１０から漏出した接着剤５００で雌ネジ部品４００が固着されていた場合は、この雌ネジ部品４００も雄ネジ軸３１０とともに切除することで排除する。なお、上述のように雄ネジ軸３１０などをカッターナイフなどで切除するとき、入隅鋼板２００を被覆している樹脂層を切除しないように注意される。
【００４７】
本実施の形態の躯体製造方法では、上述のように雄ネジ部品３００の雄ネジ軸３１０が貫通孔２１０に挿通することにより、被防水躯体１００の底面１１０と内側面１２０との境界部分に入隅鋼板２００が適正に配置されて接着される。このため、入隅鋼板２００が被防水躯体１００の適正な位置から変位した状態で接着されることを良好に防止できる。
【００４８】
しかも、雄ネジ部品３００の平板部３２０が１．０ｍｍなどの所定の板厚に形成されているので、入隅鋼板２００は被防水躯体１００の内面に接着剤５００での固定に適正な間隙を介して配置される。このため、入隅鋼板２００は被防水躯体１００の内面に接着剤５００で良好に固定される。
【００４９】
特に、ＦＲＰで形成されている被防水躯体１００の内面は多少の凹凸があることがあるが、このような場合でも、雄ネジ部品３００の平板部３２０が１．０ｍｍなどの所定の板厚に形成されているので、入隅鋼板２００を被防水躯体１００の内面に接着剤５００で適正に接着することができる。
【００５０】
また、被防水躯体１００の境界部分に間隙を介して接着剤５００で装着された入隅鋼板２００が、雄ネジ軸３１０に螺合する雌ネジ部品４００で押圧保持される。このため、被防水躯体１００と入隅鋼板２００との間隙の接着剤５００が硬化するまで、被防水躯体１００の適正な位置に入隅鋼板２００を押圧保持することができる。特に、雌ネジ部品４００は円盤状の外径に形成されている。このため、手指で迅速に雌ネジ部品４００を回転させて雄ネジ軸３１０に螺合させることができる。
【００５１】
そして、被防水躯体１００に接着剤５００で固定された入隅鋼板２００の貫通孔２１０から、余分な雄ネジ軸３１０などが突出することもない。このため、図５に示すように、被防水躯体１００に固定された入隅鋼板２００に防水シート６００などを問題なく貼着するようなことができる。
【００５２】
しかも、雄ネジ部品３００が入隅鋼板２００より軟質の材料である塩化ビニール系の樹脂などで形成されている。このため、入隅鋼板２００の貫通孔２１０から突出した雄ネジ軸３１０を研磨機などで簡単に切除することができ、切除された雄ネジ軸３１０の端面と入隅鋼板２００の表面とを面一にすることができる。
【００５３】
さらに、雌ネジ部品４００も入隅鋼板２００より軟質の材料である塩化ビニール系の樹脂などで形成されており、貫通孔２１０から漏出した接着剤５００で固着した雌ネジ部品４００を雄ネジ軸３１０とともに切除することで排除する。このため、雌ネジ部品４００が貫通孔２１０から漏出した接着剤５００で固着しても、雄ネジ軸３１０とともに研磨機などで簡単に切除することができる。
【００５４】
また、最初に入隅鋼板２００を被防水躯体１００の境界部分に配置して貫通孔２１０から底面１１０に指標１１１を形成し、指標１１１の位置に雄ネジ部品３００の平板部３２０を接着剤５００で固定する。このため、入隅鋼板２００を被防水躯体１００に適正に配置できる位置に雄ネジ部品３００を簡単に接着することができる。
【００５５】
さらに、雄ネジ軸３１０に螺合された雌ネジ部品４００で押圧保持されている入隅鋼板２００と被防水躯体１００との間隙の接着剤５００が不足している部分に外側から接着剤５００を充填する。このため、被防水躯体１００に入隅鋼板２００を装着する接着剤５００が不足していても、その不足している接着剤５００を的確に充填することができる。
【００５６】
なお、本発明は本実施の形態に限定されるものではなく、その要旨を逸脱しない範囲で各種の変形を許容する。例えば、上記形態では入隅鋼板２００を被防水躯体１００に固定する接着剤５００として、例えば、プレクサスＭＡ３２０などのメタクリレート系の構造用接着剤を使用することを例示した。
【００５７】
しかし、入隅鋼板２００を被防水躯体１００に固定する接着剤５００として、例えば、プレクサスＭＡ４２５等を利用することもできる。なお、このような接着剤５００としては、被防水躯体１００に入隅鋼板２００などのシート装着部材を固定する必要な強度を確保でき、接着時間として施行環境に対応した適正な時間調整ができ、温度や湿度などの施行環境に対して必要な許容度が確保されるものであればよい。
【００５８】
さらに、上記形態では雄ネジ部品３００と雌ネジ部品４００とが軟質な樹脂である塩化ビニールなどで形成されていることを例示した。しかし、特に被防水躯体１００が金属で形成されている場合、後述するように、雄ネジ部品３００や雌ネジ部品４００も、同質の金属で形成されていてもよい。
【００５９】
また、上記形態では雄ネジ部品３００も入隅鋼板２００と同一の接着剤５００で被防水躯体１００に接着することを例示した。しかし、雄ネジ部品３００は、例えば、シアノアクリレート系の、いわゆる瞬間接着剤などで被防水躯体１００に接着してもよい。
【００６０】
さらに、被防水躯体１００がアルミニウム合金や軟鋼などで形成されている場合、雄ネジ部品３００もアルミニウム合金や軟鋼で形成し、溶接により被防水躯体１００に装着してもよい。
【００６１】
また、上記形態では入隅鋼板２００の貫通孔２１０から突出した雄ネジ部品３００の雄ネジ軸３１０をカッターナイフで切除することを例示した。しかし、このような雄ネジ部品３００をディスクグラインダ(図示せず)などで切除してもよい。
【００６２】
特に、前述のように雄ネジ部品３００や雄ネジ軸３１０がアルミニウム合金や軟鋼で形成されている場合、カッターナイフで切除することは困難なので、ディスクグラインダで切除することが好適である。
【００６３】
ただし、雄ネジ部品３００や雌ネジ部品４００がアルミニウム合金で形成されている場合、叩き潰すことで貫通孔２１０から突出しないように排除することもできる。また、雄ネジ部品３００をアルミニウム合金や軟鋼で形成し、貫通孔２１０から突出した部分をハンマーで叩き切るようなこともできる。
【００６４】
さらに、上記形態では雌ネジ部品４００が円盤状に形成されていて手指で迅速に回転させて雄ネジ軸３１０に着脱できることを例示した。しかし、雌ネジ部品４００を、いわゆる六角ナットの形状に形成しておき、スパナ(図示せず)などで雄ネジ軸３１０に強固に螺合させてもよい。
【００６５】
また、上記形態では雄ネジ部品３００の平板部３２０の板厚と接着位置により、被防水躯体１００と入隅鋼板２００とに接着剤５００での固定に適正な間隙を確保することを例示した。
【００６６】
しかし、接着剤５００に、例えば、直径１．０ｍｍのビーズ(図示せず)を混入させておくことにより、被防水躯体１００と入隅鋼板２００とに接着剤５００での固定に適正な間隙を確保してもよい。
【００６７】
さらに、上記形態では雄ネジ部品３００の平板部３２０が入隅鋼板２００の貫通孔２１０より大径であることにより、上述のように入隅鋼板２００と被防水躯体１００とに確実に間隙を確保することを例示した。
【００６８】
しかし、雄ネジ部品３００の平板部３２０が入隅鋼板２００の貫通孔２１０より小径でも、入隅鋼板２００と被防水躯体１００との間隙に塗布された接着剤５００より必要な間隙を確保することができる。この場合、雄ネジ軸３１０に螺合する雌ネジ部品４００の位置により入隅鋼板２００と被防水躯体１００との間隙を調整することができる。
【００６９】
また、上記形態では防水シート６００が装着されるシート装着部材として、略直角に曲折されていて被防水躯体１００の略直交している底面１１０と内側面１２０との境界部分に固定される入隅鋼板２００を例示した。
【００７０】
しかし、このようなシート装着部材として、被防水躯体１００の底面１１０や内側面１２０などに装着される平板鋼板、被防水躯体１００の内側面１２０と上面との境界部分に装着される出隅鋼板、等も利用される(図示せず)。
【００７１】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００７２】
１００    被防水躯体
１１０    底面
１１１    指標
１２０    内側面
２００    入隅鋼板
２１０    貫通孔
３００    雄ネジ部品
３１０    雄ネジ軸
３２０    平板部
４００    雌ネジ部品
４１０    雌ネジ孔
５００    接着剤
６００    防水シート
ＨＧ    ハンドガン
【図１】
2011122365.tif 000003
【図２】
2011122365.tif 000004
【図３】
2011122365.tif 000005
【図４】
2011122365.tif 000006
【図５】
2011122365.tif 000007
【図６】
2011122365.tif 000008